【手続補正書】
【提出日】平成18年4月5日(2006.4.5)
【手続補正１】
【補正対象書類名】明細書
【補正対象項目名】発明の名称
【補正方法】変更
【補正の内容】
【発明の名称】演奏情報が付加された情報の作成装置、特徴ＩＤコードが付加された情報の作成装置
【手続補正２】
【補正対象書類名】明細書
【補正対象項目名】特許請求の範囲
【補正方法】変更
【補正の内容】
【特許請求の範囲】
【請求項１】
主情報を入力する主情報入力手段、
前記主情報の内容の特徴を表わす特徴情報を抽出する特徴情報抽出手段、
該特徴情報抽出手段により抽出された特徴情報に基づき、前記主情報の内容に応じて楽曲情報の再生態様を制御する楽曲再生態様制御情報を前記主情報に付加する付加手段、
および、
該付加手段により前記楽曲再生態様制御情報が付加された主情報とともに、前記楽曲再生態様制御情報により再生態様が制御される楽曲情報を出力する情報出力手段、
を有することを特徴とする演奏情報が付加された情報の作成装置。
【請求項２】
複数種類の前記楽曲再生態様制御情報を記憶する記憶手段、および、
前記特徴情報に基づいて前記記憶手段を検索し、前記主情報の内容に応じた前記楽曲再生態様制御情報を抽出する検索手段を有し、
前記付加手段は、前記検索手段により抽出された楽曲再生態様制御情報を前記主情報に付加する、
ことを特徴とする請求項１に記載の演奏情報が付加された情報の作成装置。
【請求項３】
前記特徴情報抽出手段は、前記主情報がテキスト情報を含む場合、該テキスト情報に含まれるキーワードを抽出することに基づいて前記特徴情報を抽出する、
ことを特徴とする請求項１に記載の演奏情報が付加された情報の作成装置。
【請求項４】
主情報を入力する主情報入力手段、
前記主情報の内容の特徴を表わす特徴情報を抽出する特徴情報抽出手段、
および、
該特徴情報抽出手段により抽出された特徴情報に対応する特徴ＩＤコードを前記主情報に付加する付加手段、
を有し、
前記特徴ＩＤコードは、情報再生装置で、該特徴ＩＤコードを有する楽曲情報の再生態様を該特徴ＩＤコードを有する楽曲再生態様制御情報で制御しながら演奏するためのものである、
ことを特徴とする特徴ＩＤコードが付加された情報の作成装置。
【請求項５】
前記付加手段は、前記特徴ＩＤコードにより選択された楽曲情報を前記主情報に付加する、
ことを特徴とする請求項４に記載の特徴ＩＤコードが付加された情報の作成装置。
【請求項６】
主情報を入力させる主情報入力機能、
前記主情報の内容の特徴を表わす特徴情報を抽出させる特徴情報抽出機能、
該特徴情報抽出機能により抽出された特徴情報に基づき、前記主情報の内容に応じて楽曲情報の再生態様を制御する楽曲再生態様制御情報を前記主情報に付加させる付加機能、
および、
該付加機能により前記楽曲再生態様制御情報が付加された主情報とともに、前記楽曲再生態様制御情報により再生態様が制御される楽曲情報を出力させる情報出力機能、
をコンピュータに実現させるための演奏情報が付加された情報の作成プログラムが記録されたコンピュータ読み取り可能な記録媒体。
【請求項７】
主情報を入力させる主情報入力機能、
前記主情報の内容の特徴を表わす特徴情報を抽出させる特徴情報抽出機能、
および、
該特徴情報抽出機能により抽出された特徴情報に対応する特徴ＩＤコードを前記主情報に付加させる付加機能、
を有し、
前記特徴ＩＤコードは、情報再生装置で、該特徴ＩＤコードを有する楽曲情報の再生態様を該特徴ＩＤコードを有する楽曲再生態様制御情報で制御しながら演奏するためのものである、
をコンピュータに実現させるための、特徴ＩＤコードが付加された情報の作成プログラムが記録されたコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、インターネット等のネットワークにおいて、ニュースやメッセージとともに演奏情報を伝達するのに使用する、演奏情報が付加された情報の作成装置、および、特徴ＩＤコードが付加された情報の作成装置等に関するものである。
【手続補正４】
【補正対象書類名】明細書
【補正対象項目名】０００８
【補正方法】変更
【補正の内容】
【０００８】
【発明が解決しようとする課題】
本発明は、上述した問題点を解決するためになされたもので、演奏により主情報の表現効果を増大させるとともに、短時間で主情報の概要を知らせることができる、演奏情報が付加された情報の作成装置、特徴ＩＤコードが付加された情報の作成装置、および、それらの機能を実現するプログラムが記録されたコンピュータ読み取り可能な記録媒体、を提供することを目的とするものである。
【手続補正５】
【補正対象書類名】明細書
【補正対象項目名】０００９
【補正方法】変更
【補正の内容】
【０００９】
【課題を解決するための手段】
上記課題を解決するための第１の構成においては、演奏情報が付加された情報の作成装置において、主情報を入力する主情報入力手段、前記主情報の内容の特徴を表わす特徴情報を抽出する特徴情報抽出手段、および、前記主情報とともに、前記特徴情報に基づいて前記主情報の内容に応じた演奏情報を出力する情報出力手段を有するものである。
したがって、演奏情報を再生させる側で主情報の内容に応じた演奏を行うことにより、主情報の表現効果を増大させることができるとともに、短時間で情報の概要を知らせることができる。
【手続補正６】
【補正対象書類名】明細書
【補正対象項目名】００１０
【補正方法】変更
【補正の内容】
【００１０】
上記課題を解決するための第２の構成においては、上記第１の構成に記載の演奏情報が付加された情報の作成装置において、前記演奏情報は、楽曲情報および該楽曲情報の再生態様の制御情報を有し、前記情報出力手段は、前記主情報とともに、前記楽曲情報または前記楽曲情報の再生態様の制御情報のいずれか一方および前記特徴情報を出力するものである。
したがって、特徴情報も出力するため、演奏情報を再生させる側で、特徴情報も利用することができる。
【手続補正７】
【補正対象書類名】明細書
【補正対象項目名】００１１
【補正方法】変更
【補正の内容】
【００１１】
上記課題を解決するための第３の構成においては、上記第１または第２の構成に記載の演奏情報が付加された情報の作成装置において、前記演奏情報は少なくとも楽曲情報を有し、複数種類の前記楽曲情報を記憶する記憶手段、および、前記特徴情報に基づいて前記記憶手段を検索し、前記主情報の内容に応じた前記楽曲情報を抽出する検索手段を有し、前記情報出力手段は、前記主情報とともに、抽出された前記楽曲情報を出力するものである。
したがって、主情報の内容に応じた楽曲情報を容易に出力することができる。
【手続補正８】
【補正対象書類名】明細書
【補正対象項目名】００１２
【補正方法】変更
【補正の内容】
【００１２】
上記課題を解決するための第４の構成においては、上記第１ないし３の構成のいずれか１項に記載の演奏情報が付加された情報の作成装置において、前記演奏情報は少なくとも楽曲情報の再生態様の制御情報を有し、複数種類の前記再生態様の制御情報を記憶する記憶手段、および、前記特徴情報に基づいて前記記憶手段を検索し、前記主情報の内容に応じた前記再生態様の制御情報を抽出する検索手段を有し、前記情報出力手段は、前記主情報とともに、抽出された前記再生態様の制御情報を出力するものである。
したがって、主情報の内容に応じた再生態様の制御情報を容易に出力することができる。
【手続補正９】
【補正対象書類名】明細書
【補正対象項目名】００１３
【補正方法】変更
【補正の内容】
【００１３】
上記課題を解決するための第５の構成においては、上記第１ないし第４の構成のいずれか１項に記載の演奏情報が付加された情報の作成装置において、前記特徴抽出手段は、前記主情報に含まれる感性語およびまたは感性を想起させる語に基づいて前記特徴情報を抽出するものである。
したがって、演奏情報を再生させる側で、演奏情報がユーザの感性に与える印象によって、主情報の表現効果を増大させるとともに、短時間で情報の概要を知らせることができる。
【手続補正１０】
【補正対象書類名】明細書
【補正対象項目名】００１４
【補正方法】変更
【補正の内容】
【００１４】
上記課題を解決するための第６の構成においては、上記第１ないし第４の構成のいずれか１項に記載の演奏情報が付加された情報の作成装置において、前記主情報は、あらかじめ感性との対応付けがなされた主情報の表現要素を含み、前記特徴抽出手段は、前記主情報の中から前記表現要素を検出することにより前記特徴情報を抽出するものである。
したがって、前記主情報の内容の特徴を表わす特徴情報の検出を容易に行うことができる。
【手続補正１１】
【補正対象書類名】明細書
【補正対象項目名】００１５
【補正方法】変更
【補正の内容】
【００１５】
上記課題を解決するための第７の構成においては、主情報を入力する情報入力手段、前記主情報の内容の特徴を表わす特徴情報を抽出する特徴情報抽出手段、および、前記主情報とともに、前記特徴情報に基づいて前記主情報の内容に応じた演奏情報を再生させる情報再生手段を有するものである。
したがって、主情報の内容に応じた演奏を行うことにより、主情報の表現効果を増大させるとともに、短時間で情報の概要を知らせることができる。
【手続補正１２】
【補正対象書類名】明細書
【補正対象項目名】００１６
【補正方法】変更
【補正の内容】
【００１６】
上記課題を解決するための第８の構成においては、上記第７の構成に記載の演奏情報が付加された情報の再生装置において、前記特徴情報抽出手段は、前記主情報に含まれる感性語およびまたは感性を想起させる語に基づいて前記特徴情報を抽出するものである。
したがって、演奏情報がユーザの感性に与える印象によって、主情報の表現効果を増大させるとともに、短時間で情報の概要を知らせることができる。
【手続補正１３】
【補正対象書類名】明細書
【補正対象項目名】００１７
【補正方法】変更
【補正の内容】
【００１７】
上記課題を解決するための第９の構成においては、上記第７の構成に記載の演奏情報が付加された情報の再生装置において、前記主情報は、あらかじめ感性との対応付けがなされた前記主情報の表現要素を含み、前記特徴情報抽出手段は、前記主情報の中から前記表現要素を検出することにより前記特徴情報を抽出するものである。
したがって、前記主情報の内容の特徴を表わす特徴情報の検出を容易に行うことができる。また、特徴情報を主情報と同様に取り扱うことができる。
【手続補正１４】
【補正対象書類名】明細書
【補正対象項目名】００１８
【補正方法】変更
【補正の内容】
【００１８】
上記課題を解決するための第１０の構成においては、演奏情報が付加された情報の再生装置において、主情報とともに該主情報の内容の特徴を表わす特徴情報を入力する情報入力手段、および、前記主情報とともに、前記特徴情報に基づいて前記主情報の内容に応じた演奏情報を再生させる情報再生手段を有するものである。
したがって、特徴情報を用いて主情報の内容に応じた演奏を行わせることができ、主情報の表現効果を増大させるとともに、短時間で情報の概要を知らせることができる。
【手続補正１５】
【補正対象書類名】明細書
【補正対象項目名】００１９
【補正方法】変更
【補正の内容】
【００１９】
上記課題を解決するための第１１の構成においては、上記第７ないし１０の構成のいずれか１項に記載の演奏情報が付加された情報の再生装置において、前記演奏情報は、楽曲情報および該楽曲情報の再生態様の制御情報を有し、前記情報入力手段は、前記楽曲情報または前記楽曲情報の再生態様の制御情報のいずれか一方も入力するものである。
したがって、特徴情報を用いて、楽曲情報または前記楽曲情報の再生態様の制御情報のうち、入力されない方を主情報の内容に応じたものとして出力することができる。
【手続補正１６】
【補正対象書類名】明細書
【補正対象項目名】００２０
【補正方法】変更
【補正の内容】
【００２０】
上記課題を解決するための第１２の構成においては、上記第７ないし１１の構成のいずれか１項に記載の演奏情報が付加された情報の再生装置において、前記演奏情報は少なくとも楽曲情報を有し、複数種類の前記楽曲情報を記憶する記憶手段、前記特徴情報に基づいて前記記憶手段を検索し、前記主情報の内容に応じた前記楽曲情報を抽出する検索手段を有し、前記情報再生手段は、前記主情報とともに、抽出された前記楽曲情報を再生させるものである。
したがって、主情報の内容に応じた楽曲情報を容易に出力することができる。
【手続補正１７】
【補正対象書類名】明細書
【補正対象項目名】００２１
【補正方法】変更
【補正の内容】
【００２１】
上記課題を解決するための第１３の構成においては、第７ないし１２の構成のいずれか１項に記載の演奏情報が付加された情報の再生装置において、前記演奏情報は少なくとも楽曲情報の再生態様の制御情報を有し、複数種類の前記再生態様の制御情報を記憶する記憶手段、前記特徴情報に基づいて前記記憶手段を検索し、前記主情報の内容に応じた前記再生態様の制御情報を抽出する検索手段を有し、前記情報再生手段は、前記主情報とともに、抽出された前記再生態様の制御情報を再生させるものである。
したがって、主情報の内容に応じた再生態様の制御情報を容易に出力することができる。
【手続補正１８】
【補正対象書類名】明細書
【補正対象項目名】００２２
【補正方法】変更
【補正の内容】
【００２２】
上記課題を解決するための第１４の構成においては、演奏情報が付加された情報作成装置において、主情報を入力する主情報入力手段、前記主情報を出力する主情報出力手段、前記主情報の内容の特徴を表わす特徴情報を入力する特徴情報入力手段、および、前記主情報とともに、前記特徴情報に基づいて前記主情報の内容に応じた演奏情報を再生させる情報再生手段を有するものである。
したがって、主情報を入力する側で、主情報の内容に応じた演奏情報を用いて演奏することにより、主情報の表現効果が増大された情報を確認することができる。
【手続補正１９】
【補正対象書類名】明細書
【補正対象項目名】００２３
【補正方法】変更
【補正の内容】
【００２３】
上記課題を解決するための第１５の構成においては、特徴情報の表現要素が付加された情報の作成装置主情報を入力する主情報入力手段、前記主情報の内容の特徴を表わす特徴情報を抽出する特徴抽出手段、および、前記主情報とともに、前記特徴情報にあらかじめ対応付けられた主情報の表現要素を出力する情報出力手段を有するものである。
したがって、情報を再生させる側で、主情報の内容の特徴を表わす特徴情報の抽出を容易に行うことができる。また、特徴情報を主情報と同様に取り扱うことができる。
【手続補正２０】
【補正対象書類名】明細書
【補正対象項目名】００２４
【補正方法】変更
【補正の内容】
【００２４】
上記課題を解決するための第１６の構成においては、上記第１５の構成に記載の特徴情報の表現要素が付加された情報の作成装置において、前記表現要素は、あらかじめ感性との対応付けがなされたものである。
したがって、演奏情報がユーザの感性に与える印象によって、主情報の表現効果を増大させるとともに、短時間で情報の概要を知らせることができる。
【手続補正２１】
【補正対象書類名】明細書
【補正対象項目名】００２５
【補正方法】変更
【補正の内容】
【００２５】
上記課題を解決するための第１７の構成においては、演奏情報が付加された情報の作成プログラムが記録された記録媒体であって、主情報を入力させる主情報入力機能、前記主情報の内容の特徴を表わす特徴情報を抽出させる特徴情報抽出機能、および、前記主情報とともに、前記特徴情報に基づいて前記主情報の内容に応じた演奏情報を出力させる情報出力機能、をコンピュータに実現させるためのプログラムが記録された記録媒体である。
したがって、記録されたプログラムを用いてコンピュータを動作させることにより、上記第１の構成に記載の演奏情報が付加された情報の作成装置の発明と同様の作用を有する。
【手続補正２２】
【補正対象書類名】明細書
【補正対象項目名】００２６
【補正方法】変更
【補正の内容】
【００２６】
上記課題を解決するための第１８の構成においては、演奏情報が付加された情報の再生プログラムが記録された記録媒体であって、主情報を入力させる主情報入力機能、前記主情報の内容の特徴を表わす特徴情報を抽出させる特徴情報抽出機能、および、前記主情報とともに、前記特徴情報に基づいて前記主情報の内容に応じた演奏情報を再生させる情報再生機能をコンピュータに実現させるためのプログラムが記録された記録媒体である。
したがって、記録されたプログラムを用いてコンピュータを動作させることにより、上記第７の構成に記載の演奏情報が付加された情報の再生装置の発明と同様の作用を奏する。
【手続補正２３】
【補正対象書類名】明細書
【補正対象項目名】００２７
【補正方法】変更
【補正の内容】
【００２７】
上記課題を解決するための第１９の構成においては、演奏情報が付加された情報の再生プログラムが記録された記録媒体であって、主情報とともに該主情報の内容の特徴を表わす特徴情報を入力させる情報入力機能、および、前記主情報とともに、前記特徴情報に基づいて前記主情報の内容に応じた演奏情報を再生させる情報再生機能をコンピュータに実現させるためのプログラムが記録された記録媒体である。
したがって、記録されたプログラムを用いてコンピュータを動作させることにより、上記第１０の構成に記載の演奏情報が付加された情報の再生装置の発明と同様の作用を奏する。
【手続補正２４】
【補正対象書類名】明細書
【補正対象項目名】００２８
【補正方法】変更
【補正の内容】
【００２８】
上記課題を解決するための第２０の構成においては、演奏情報が付加された情報の作成プログラムが記録された記録媒体であって、主情報を入力させる主情報入力機能、前記主情報を出力させる主情報出力機能、前記主情報の内容の特徴を表わす特徴情報を入力させる特徴情報入力機能、および、前記主情報とともに、前記特徴情報に基づいて前記主情報の内容に応じた演奏情報を再生させる情報再生機能をコンピュータに実現させるためのプログラムが記録された記録媒体である。
したがって、記録されたプログラムを用いてコンピュータを動作させることにより、上記第１４の構成に記載の演奏情報が付加された情報作成装置の発明と同様の作用を奏する。
【手続補正２５】
【補正対象書類名】明細書
【補正対象項目名】００２９
【補正方法】変更
【補正の内容】
【００２９】
上記課題を解決するための第２１の構成においては、特徴情報の表現要素が付加された情報の作成プログラムが記録された記録媒体であって、主情報を入力させる主情報入力機能、前記主情報の内容の特徴を表わす特徴情報を抽出させる特徴抽出機能、および、前記主情報とともに、前記特徴情報にあらかじめ対応付けられた表現要素を出力させる情報出力機能をコンピュータに実現させるためのプログラムが記録された記録媒体である。
したがって、記録されたプログラムを用いてコンピュータを動作させることにより、上記第１５の構成に記載の特徴情報の表現要素が付加された情報の作成装置の発明と同様の作用を奏する。
以下、本発明において、上記課題を解決するための手段について説明する。
本発明は、請求項１に記載の発明においては、演奏情報が付加された情報の作成装置において、主情報を入力する主情報入力手段、前記主情報の内容の特徴を表わす特徴情報を抽出する特徴情報抽出手段、該特徴情報抽出手段により抽出された特徴情報に基づき、前記主情報の内容に応じて楽曲情報の再生態様を制御する楽曲再生態様制御情報を前記主情報に付加する付加手段、および、該付加手段により前記楽曲再生態様制御情報が付加された主情報とともに、前記楽曲再生態様制御情報により再生態様が制御される楽曲情報を出力する情報出力手段を有するものである。
従って、この発明は、演奏情報が付加された情報の作成装置の第１の実施の形態に対応する。
ここで、演奏情報とは、楽曲情報およびこの楽曲情報の再生態様の制御情報を有するものである。ただし、再生態様制御情報は、主情報ファイルに付加される。楽曲情報は、主情報の内容の特徴に応じたものでは必ずしもなく、規定値あるいはユーザが任意に選択した曲である場合がある。
請求項２に記載の発明においては、請求項１に記載の演奏情報が付加された情報の作成装置において、複数種類の前記楽曲再生態様制御情報を記憶する記憶手段、および、前記特徴情報に基づいて前記記憶手段を検索し、前記主情報の内容に応じた前記楽曲再生態様制御情報を抽出する検索手段を有し、前記付加手段は、前記検索手段により抽出された楽曲再生態様制御情報を前記主情報に付加するものである。
請求項３に記載の発明においては、請求項１に記載の演奏情報が付加された情報の作成装置において、前記特徴情報抽出手段は、前記主情報がテキスト情報を含む場合、該テキスト情報に含まれるキーワードを抽出することに基づいて前記特徴情報を抽出するものである。
上述した特徴抽出手段は、主情報の内容の特徴を解析するものであるが、例えば、人間の感性の観点から特徴分析をする。
また、請求項４に記載の発明においては、特徴ＩＤコードが付加された情報の作成装置において、主情報を入力する主情報入力手段、前記主情報の内容の特徴を表わす特徴情報を抽出する特徴情報抽出手段、および、該特徴情報抽出手段により抽出された特徴情報に対応する特徴ＩＤコードを前記主情報に付加する付加手段を有し、前記特徴ＩＤコードは、情報再生装置で、該特徴ＩＤコードを有する楽曲情報の再生態様を該特徴ＩＤコードを有する楽曲再生態様制御情報で制御しながら演奏するためのものである。
従って、この発明は、演奏情報が付加された情報の作成装置の第４の実施の形態に対応する。
ここで、演奏情報とは、楽曲情報およびこの楽曲情報の再生態様の制御情報を有するものであるが、この発明は、特徴ＩＤコードを情報に付加したものを作成し、情報再生装置で、該特徴ＩＤコードを有する楽曲情報の再生態様を該特徴ＩＤコードを有する楽曲再生態様制御情報で制御しながら演奏する。
請求項５に記載の発明においては、請求項４に記載の特徴ＩＤコードが付加された情報の作成装置において、  前記付加手段は、前記特徴ＩＤコードにより選択された楽曲情報を前記主情報に付加するものである。
従って、この発明は、演奏情報が付加された情報の作成装置の第２の実施の形態に対応するものとなる。
請求項６に記載の発明においては、記録されたプログラムを動作させることにより、請求項１に記載の演奏情報が付加された情報の作成装置の発明と同様の作用を有するものである。
請求項７に記載の発明においては、記録されたプログラムを動作させることにより、請求項４に記載の演奏情報が付加された情報の作成装置の発明と同様の作用を有するものである。